【手続補正書】
【提出日】平成25年1月25日(2013.1.25)
【手続補正１】
【補正対象書類名】明細書
【補正対象項目名】発明の名称
【補正方法】変更
【補正の内容】
【発明の名称】電子機器、表示制御方法及びプログラム
【手続補正２】
【補正対象書類名】明細書
【補正対象項目名】０００１
【補正方法】変更
【補正の内容】
【０００１】
本発明は、タッチ操作を検知するタッチ入力手段と表示手段を備えた電子機器、表示制御方法及びプログラムに関する。
【手続補正３】
【補正対象書類名】明細書
【補正対象項目名】０００６
【補正方法】変更
【補正の内容】
【０００６】
上述した課題を解決するために請求項１記載の発明は、
タッチ操作を検知するタッチ入力手段と、
表示手段と、
前記タッチ入力手段上でタッチしながら移動するスライド操作が行われた際に、その移動方向を検出する移動検出手段と、
前記検出された移動方向に基づいて前記スライド操作のパターンを判別するパターン判別手段と、
前記判別されたスライド操作のパターンが、最初に第１の方向に移動し、続けて前記第１の方向とは異なる第２の方向に移動する、の順にタッチ操作されるパターンである場合に、前記第１の方向と前記第２の方向との組み合わせに応じて、前記表示手段に表示されている表示内容を制御する表示制御手段と、
を備えることを特徴とする。
【手続補正４】
【補正対象書類名】明細書
【補正対象項目名】０００７
【補正方法】変更
【補正の内容】
【０００７】
請求項１に従属する発明として、
前記第１の方向と前記第２の方向は、それぞれ略直線状に移動する方向である、
ことを特徴とする、請求項２記載の発明であってもよい。
【手続補正５】
【補正対象書類名】明細書
【補正対象項目名】０００８
【補正方法】変更
【補正の内容】
【０００８】
請求項１又は２に従属する発明として、
前記第１の方向は、前記表示手段に表示されている表示内容が制御される方向とは逆の方向であり、前記第２の方向は、前記表示手段に表示されている表示内容が制御される方向である、
ことを特徴とする、請求項３記載の発明であってもよい。
【手続補正６】
【補正対象書類名】明細書
【補正対象項目名】０００９
【補正方法】変更
【補正の内容】
【０００９】
請求項１又は２に従属する発明として、
前記第１の方向は、前記表示手段に表示されている表示内容が制御される方向に対して略直交する方向であり、前記第２の方向は、前記表示手段に表示されている表示内容が制御される方向である、
ことを特徴とする、請求項４記載の発明であってもよい。
【手続補正７】
【補正対象書類名】明細書
【補正対象項目名】００１０
【補正方法】変更
【補正の内容】
【００１０】
請求項１〜請求項４のいずれかに従属する発明として、
前記移動検出手段は、更に、前記スライド操作の移動量を検出し、
前記表示制御手段は、更に、前記移動検出手段により検出された前記第１の方向に移動する移動量或いは前記第２の方向に移動する移動量に応じて、前記表示手段に表示されている表示内容を制御する、
ことを特徴とする、請求項５記載の発明であってもよい。
【手続補正８】
【補正対象書類名】明細書
【補正対象項目名】００１１
【補正方法】変更
【補正の内容】
【００１１】
請求項１〜請求項４のいずれかに従属する発明として、
前記移動検出手段は、更に、前記スライド操作の移動速度を検出し、
前記表示制御手段は、更に、前記移動検出手段により検出された前記第１の方向に移動する移動速度或いは前記第２の方向に移動する移動速度に応じて、前記表示手段に表示されている表示内容を制御する、
ことを特徴とする、請求項６記載の発明であってもよい。
【手続補正９】
【補正対象書類名】明細書
【補正対象項目名】００１２
【補正方法】変更
【補正の内容】
【００１２】
請求項１〜請求項４のいずれかに従属する発明として、
前記スライド操作のパターンが、最初に第１の方向に移動し、次に一時停止を行い、続けて前記第１の方向とは異なる第２の方向に移動する、の順にタッチ操作されるパターンである場合に、前記一時停止の停止時間を計測する計測手段を更に備え、
前記表示制御手段は、更に、前記計測手段により計測された停止時間に応じて、前記表示手段に表示されている表示内容を制御する、請求項７記載の発明であってもよい。
【手続補正１０】
【補正対象書類名】明細書
【補正対象項目名】００１３
【補正方法】変更
【補正の内容】
【００１３】
請求項１〜請求項７のいずれかに従属する発明として、
前記表示手段に表示されている表示内容は、複数の画像或いはページからなるコンテンツであり、
前記表示制御手段は、前記表示内容に対する制御として、前記スライド操作に応じた方向に画像或いはページ送りを行う、
ことを特徴とする、請求項８記載の発明であってもよい。
【手続補正１１】
【補正対象書類名】明細書
【補正対象項目名】００１４
【補正方法】変更
【補正の内容】
【００１４】
請求項１〜請求項７のいずれかに従属する発明として、
前記表示手段に表示されている表示内容は、複数の画像或いはページからなるコンテンツであり、
前記表示制御手段は、前記表示内容に対する制御として、前記スライド操作に応じた画像数或いはページ数毎に画像或いはページ送りを行う、
ことを特徴とする、請求項９記載の発明であってもよい。
【手続補正１２】
【補正対象書類名】明細書
【補正対象項目名】００１５
【補正方法】変更
【補正の内容】
【００１５】
請求項１〜請求項７のいずれかに従属する発明として、
前記表示手段に表示されている表示内容は、複数の画像或いはページからなるコンテンツであり、
前記表示制御手段は、前記表示内容に対する制御として、前記スライド操作に応じた速度で画像或いはページ送りを行う、
ことを特徴とする、請求項１０記載の発明であってもよい。
【手続補正１３】
【補正対象書類名】明細書
【補正対象項目名】００１６
【補正方法】変更
【補正の内容】
【００１６】
請求項１〜請求項７のいずれかに従属する発明として、
前記表示手段に表示されている表示内容は、複数の画像或いはページからなるコンテンツであり、
前記表示制御手段は、前記表示内容に対する制御として画像或いはページ送りを行う場合に、前記画像或いはページ送りの間に挿入される表示効果を前記スライド操作に応じて変更する、
ことを特徴とする、請求項１１記載の発明であってもよい。
【手続補正１４】
【補正対象書類名】明細書
【補正対象項目名】００１７
【補正方法】変更
【補正の内容】
【００１７】
請求項１〜請求項７のいずれかに従属する発明として、
前記表示手段に表示されている表示内容は、複数の画像或いはページからなるコンテンツであり、
前記表示制御手段は、前記表示内容に対する制御として画像或いはページ送りを行う場合に、前記画像或いはページ送りの単位の種類を前記スライド操作に応じて変更する、
ことを特徴とする、請求項１２記載の発明であってもよい。
【手続補正１５】
【補正対象書類名】明細書
【補正対象項目名】００１８
【補正方法】変更
【補正の内容】
【００１８】
請求項１２に従属する発明として、
前記表示手段に表示されている表示内容は、複数の画像からなるコンテンツであり、
前記表示制御手段は、複数のフォルダに分散して記憶されている一連の画像のうち、前記各フォルダから所定の画像のみを読み出して画像送りの単位の種類を変更する、
ことを特徴とする、請求項１３記載の発明であってもよい。
【手続補正１６】
【補正対象書類名】明細書
【補正対象項目名】００１９
【補正方法】変更
【補正の内容】
【００１９】
請求項１２に従属する発明として、
前記表示手段に表示されている表示内容は、複数の画像からなるコンテンツであり、
前記表示制御手段は、タイムスタンプが付加されて記憶されている画像のうち、所定のタイムスタンプが付加されている画像のみを読み出して画像送りの単位の種類を変更する、
ことを特徴とする、請求項１４記載の発明であってもよい。
また、上述した課題を解決するために請求項１５記載の発明は、
タッチ入力手段上でタッチしながら移動するスライド操作が行われた際に、その移動方向を検出するステップと、
前記検出された移動方向に基づいて前記スライド操作のパターンを判別するステップと、
前記判別されたスライド操作のパターンが、最初に第１の方向に移動し、続けて前記第１の方向とは異なる第２の方向に移動する、の順にタッチ操作されるパターンである場合に、前記第１の方向と前記第２の方向との組み合わせに応じて、表示手段に表示されている表示内容を制御するステップと、
を含むこと特徴とする。
【手続補正１７】
【補正対象書類名】明細書
【補正対象項目名】００２０
【補正方法】変更
【補正の内容】
【００２０】
また、上述した課題を解決するために請求項１６記載の発明は、
コンピュータに対して、
タッチ入力手段上でタッチしながら移動するスライド操作が行われた際に、その移動方向を検出する機能と、
前記検出された移動方向に基づいて前記スライド操作のパターンを判別する機能と、
前記判別されたスライド操作のパターンが、最初に第１の方向に移動し、続けて前記第１の方向とは異なる第２の方向に移動する、の順にタッチ操作されるパターンである場合に、前記第１の方向と前記第２の方向との組み合わせに応じて、表示手段に表示されている表示内容を制御する機能と、
を実現させるためのプログラム、であることを特徴とする。
【手続補正１８】
【補正対象書類名】特許請求の範囲
【補正対象項目名】全文
【補正方法】変更
【補正の内容】
【特許請求の範囲】
【請求項１】
タッチ操作を検知するタッチ入力手段と、
表示手段と、
前記タッチ入力手段上でタッチしながら移動するスライド操作が行われた際に、その移動方向を検出する移動検出手段と、
前記検出された移動方向に基づいて前記スライド操作のパターンを判別するパターン判別手段と、
前記判別されたスライド操作のパターンが、最初に第１の方向に移動し、続けて前記第１の方向とは異なる第２の方向に移動する、の順にタッチ操作されるパターンである場合に、前記第１の方向と前記第２の方向との組み合わせに応じて、前記表示手段に表示されている表示内容を制御する表示制御手段と、
を備えることを特徴とする電子機器。
【請求項２】
前記第１の方向と前記第２の方向は、それぞれ略直線状に移動する方向である、
ことを特徴とする請求項１記載の電子機器。
【請求項３】
前記第１の方向は、前記表示手段に表示されている表示内容が制御される方向とは逆の方向であり、前記第２の方向は、前記表示手段に表示されている表示内容が制御される方向である、
ことを特徴とする請求項１又は２に記載の電子機器。
【請求項４】
前記第１の方向は、前記表示手段に表示されている表示内容が制御される方向に対して略直交する方向であり、前記第２の方向は、前記表示手段に表示されている表示内容が制御される方向である、
ことを特徴とする請求項１又は２に記載の電子機器。
【請求項５】
前記移動検出手段は、更に、前記スライド操作の移動量を検出し、
前記表示制御手段は、更に、前記移動検出手段により検出された前記第１の方向に移動する移動量或いは前記第２の方向に移動する移動量に応じて、前記表示手段に表示されている表示内容を制御する、
ことを特徴とする請求項１〜請求項４のいずれかに記載の電子機器。
【請求項６】
前記移動検出手段は、更に、前記スライド操作の移動速度を検出し、
前記表示制御手段は、更に、前記移動検出手段により検出された前記第１の方向に移動する移動速度或いは前記第２の方向に移動する移動速度に応じて、前記表示手段に表示されている表示内容を制御する、
ことを特徴とする請求項１〜請求項４のいずれかに記載の電子機器。
【請求項７】
前記スライド操作のパターンが、最初に第１の方向に移動し、次に一時停止を行い、続けて前記第１の方向とは異なる第２の方向に移動する、の順にタッチ操作されるパターンである場合に、前記一時停止の停止時間を計測する計測手段を更に備え、
前記表示制御手段は、更に、前記計測手段により計測された停止時間に応じて、前記表示手段に表示されている表示内容を制御する、
ことを特徴とする請求項１〜請求項４のいずれかに記載の電子機器。
【請求項８】
前記表示手段に表示されている表示内容は、複数の画像或いはページからなるコンテンツであり、
前記表示制御手段は、前記表示内容に対する制御として、前記スライド操作に応じた方向に画像或いはページ送りを行う、
ことを特徴とする請求項１〜請求項７のいずれかに記載の電子機器。
【請求項９】
前記表示手段に表示されている表示内容は、複数の画像或いはページからなるコンテンツであり、
前記表示制御手段は、前記表示内容に対する制御として、前記スライド操作に応じた画像数或いはページ数毎に画像或いはページ送りを行う、
ことを特徴とする請求項１〜請求項７のいずれかに記載の電子機器。
【請求項１０】
前記表示手段に表示されている表示内容は、複数の画像或いはページからなるコンテンツであり、
前記表示制御手段は、前記表示内容に対する制御として、前記スライド操作に応じた速度で画像或いはページ送りを行う、
ことを特徴とする請求項１〜請求項７のいずれかに記載の電子機器。
【請求項１１】
前記表示手段に表示されている表示内容は、複数の画像或いはページからなるコンテンツであり、
前記表示制御手段は、前記表示内容に対する制御として画像或いはページ送りを行う場合に、前記画像或いはページ送りの間に挿入される表示効果を前記スライド操作に応じて変更する、
ことを特徴とする請求項１〜請求項７のいずれかに記載の電子機器。
【請求項１２】
前記表示手段に表示されている表示内容は、複数の画像或いはページからなるコンテンツであり、
前記表示制御手段は、前記表示内容に対する制御として画像或いはページ送りを行う場合に、前記画像或いはページ送りの単位の種類を前記スライド操作に応じて変更する、
ことを特徴とする請求項１〜請求項７のいずれかに記載の電子機器。
【請求項１３】
前記表示手段に表示されている表示内容は、複数の画像からなるコンテンツであり、
前記表示制御手段は、複数のフォルダに分散して記憶されている一連の画像のうち、前記各フォルダから所定の画像のみを読み出して画像送りの単位の種類を変更する、
ことを特徴とする請求項１２記載の電子機器。
【請求項１４】
前記表示手段に表示されている表示内容は、複数の画像からなるコンテンツであり、
前記表示制御手段は、タイムスタンプが付加されて記憶されている画像のうち、所定のタイムスタンプが付加されている画像のみを読み出して画像送りの単位の種類を変更する、
ことを特徴とする請求項１２記載の電子機器。
【請求項１５】
タッチ入力手段上でタッチしながら移動するスライド操作が行われた際に、その移動方向を検出するステップと、
前記検出された移動方向に基づいて前記スライド操作のパターンを判別するステップと、
前記判別されたスライド操作のパターンが、最初に第１の方向に移動し、続けて前記第１の方向とは異なる第２の方向に移動する、の順にタッチ操作されるパターンである場合に、前記第１の方向と前記第２の方向との組み合わせに応じて、表示手段に表示されている表示内容を制御するステップと、
を含むこと特徴とする表示制御方法。
【請求項１６】
コンピュータに対して、
タッチ入力手段上でタッチしながら移動するスライド操作が行われた際に、その移動方向を検出する機能と、
前記検出された移動方向に基づいて前記スライド操作のパターンを判別する機能と、
前記判別されたスライド操作のパターンが、最初に第１の方向に移動し、続けて前記第１の方向とは異なる第２の方向に移動する、の順にタッチ操作されるパターンである場合に、前記第１の方向と前記第２の方向との組み合わせに応じて、表示手段に表示されている表示内容を制御する機能と、
を実現させるためのプログラム。